(57)【要約】【課題】  操作者一人当たりの占有時間を短縮する。【解決手段】  まず、メディアから読み出された画像データファイルが画像データ記憶部に記憶される（Ｓ１１３）。次に、顧客が、ピンぼけの程度、手ぶれの程度、構図の良し悪しを決める被写体の頭部の画面からのはみ出し量、及び被写体の目線のずれ量の４項目のうち、抽出部での抽出処理に用いられる項目と、各項目の閾値とを入力する（Ｓ１１５、Ｓ１１７）。そして、抽出部が、顧客が入力した抽出項目及び抽出レベルで、画像データ記憶部に記憶されている画像データファイルの中から、プリントに適した画像データファイルを抽出する（Ｓ１２０）。その後、抽出部によって抽出された画像データファイルに係るサムネイル画像を含む注文画面がディスプレイに表示され、顧客は、タッチパネルを用いて、注文画面に表示されたサムネイル画像に対して注文情報を入力する。【選択図】        図７A
2006301687.tif 000002
【特許請求の範囲】
【請求項１】
写真プリントの注文を受け付けるプリント注文受付装置であって、
記録媒体に記録された一又は複数の画像データファイルを読み出すための読み出し部と、
ディスプレイと、
前記読み出し部によって読み出された一又は複数の前記画像データファイルの中から、画像の画質及び内容の少なくともいずれか一方に基づいてプリントに適した画像データファイルを抽出する抽出手段と、
前記読み出し部によって読み出された一又は複数の前記画像データファイルに係る一又は複数の画像のうち、前記抽出手段が抽出した画像データファイルに係る画像を含む注文画面を前記ディスプレイに表示させる注文画面表示制御手段とを備えていることを特徴とするプリント注文受付装置。
【請求項２】
前記読み出し部によって読み出された一又は複数の前記画像データファイルに対して画像認識処理を行う画像認識手段をさらに備えており、
前記抽出手段が、前記画像認識手段によって行われた画像認識処理の結果を用いて、プリントに適した画像データファイルを抽出することを特徴とする請求項１に記載のプリント注文受付装置。
【請求項３】
前記読み出し部によって読み出された画像データファイルに係る画像の画質及び内容の少なくともいずれか一方についてのパラメータを前記記録媒体又は当該画像データファイルから取得するパラメータ取得手段をさらに備えており、
前記抽出手段が、前記パラメータ取得手段が取得したパラメータを用いて、プリントに適した画像データファイルを抽出することを特徴とする請求項１に記載のプリント注文受付装置。
【請求項４】
前記読み出し部が読み出した一又は複数の画像データファイルに係る一又は複数の画像のうちで、前記ディスプレイへの表示が望まれる又は望まれない画像の画質及び内容の少なくともいずれか一方に係る複数の選択肢のうち少なくともいずれか１つを入力する画質・内容入力手段をさらに備えており、
前記抽出手段が、前記画質・内容入力手段によって入力された一又は複数の選択肢に適合した又は適合しないパラメータを有する画像データファイルを抽出することを特徴とする請求項１〜３のいずれか１項に記載のプリント注文受付装置。
【請求項５】
画質及び内容の少なくともいずれか一方に係る複数の選択肢を含む選択画面を前記ディスプレイに表示させる選択画面表示制御手段をさらに備えていることを特徴とする請求項４に記載のプリント注文受付装置。
【請求項６】
注文の完了が指示されたかを確認する確認手段をさらに備えており、
注文の完了が指示されたと前記確認手段が確認するまで、前記画質・内容入力手段が選択肢を複数回入力可能であり、
前記画質・内容入力手段が選択肢を入力するごとに、前記抽出手段がプリントに適した画像データファイルを抽出することを特徴とする請求項４又は５に記載のプリント注文受付装置。
【請求項７】
前記注文画面表示制御手段が、前記読み出し部によって読み出された一又は複数の前記画像データファイルに係る一又は複数の画像のうち、前記抽出手段が抽出しなかった画像データファイルに係る画像を含む注文画面を前記ディスプレイに表示させることを特徴とする請求項１〜６のいずれか１項に記載のプリント注文受付装置。
【請求項８】
写真プリントの注文を受け付けるプリント注文受付方法において、
記録媒体に記録された一又は複数の画像データファイルを読み出す読み出しステップと、
前記読み出しステップにおいて読み出された一又は複数の前記画像データファイルの中から、画像の画質及び内容の少なくともいずれか一方に基づいてプリントに適した画像データファイルを抽出する抽出ステップと、
前記読み出しステップにおいて読み出された一又は複数の前記画像データファイルに係る一又は複数の画像のうち、前記抽出ステップにおいて抽出された画像データファイルに係る画像を含む注文画面をディスプレイに表示する注文画面表示ステップとを備えていることを特徴とするプリント注文受付方法。
【発明の詳細な説明】
【技術分野】
【０００１】
本発明は、写真プリントの注文を受け付けるプリント注文受付装置、及びプリント注文受付装置におけるプリント注文受付方法に関する。
【背景技術】
【０００２】
デジタルカメラの普及に伴って、デジタルカメラで撮影した画像データファイル等のプリントの注文を受け付けるプリント注文受付装置が、ＤＰ店の店頭に設置されるようになっている。特許文献１に示すように、係るプリント注文受付装置は、タッチパネル式のディスプレイを備えている。そして、顧客が自ら持参した画像データファイルが記録されたメディアをプリント注文受付装置にセットすると、当該メディアに記録された全ての画像データファイルに係るサムネイル画像がディスプレイに表示される。このとき、メディアに記録された画像データファイルのコマ数が多い場合には、サムネイル画像は、複数ページに分けて、例えば８コマ毎に表示される。顧客は、ディスプレイに表示されたサムネイル画像を確認し、タッチパネルを介して、当該画像のプリント枚数等の注文情報を入力することが可能となっている。
【特許文献１】特開２００３−１２１９４６号公報
【発明の開示】
【発明が解決しようとする課題】
【０００３】
近年、メディアの記録容量の増加に伴い、メディアに記録される画像データファイルの数が増加している。ここで、大量の画像データファイルが記録された大容量のメディアが上述のプリント注文受付装置にセットされた場合には、プリント注文受付装置のディスプレイに、メディアに記録された大量の画像データファイルに係る多数のサムネイル画像が複数ページに亘って表示される。このとき、顧客は、ディスプレイに表示された多数のサムネイル画像の中からプリントの注文を希望する画像を探さなくてはないので、プリント注文受付装置の占有時間が長くなる。したがって、プリント注文受付装置の時間効率が低下するという問題が生じる。
【０００４】
そこで、本発明の目的は、操作者一人当たりの占有時間を短縮することができるプリント注文受付装置及びプリント注文受付方法を提供することである。
【課題を解決するための手段及び効果】
【０００５】
本発明のプリント注文受付装置は、写真プリントの注文を受け付けるプリント注文受付装置であって、記録媒体に記録された一又は複数の画像データファイルを読み出すための読み出し部と、ディスプレイと、前記読み出し部によって読み出された一又は複数の前記画像データファイルの中から、画像の画質及び内容の少なくともいずれか一方に基づいてプリントに適した画像データファイルを抽出する抽出手段と、前記読み出し部によって読み出された一又は複数の前記画像データファイルに係る一又は複数の画像のうち、前記抽出手段が抽出した画像データファイルに係る画像を含む注文画面を前記ディスプレイに表示させる注文画面表示制御手段とを備えている。
【０００６】
また、本発明のプリント注文受付方法は、写真プリントの注文を受け付けるプリント注文受付方法において、記録媒体に記録された一又は複数の画像データファイルを読み出す読み出しステップと、前記読み出しステップにおいて読み出された一又は複数の前記画像データファイルの中から、画像の画質及び内容の少なくともいずれか一方に基づいてプリントに適した画像データファイルを抽出する抽出ステップと、前記読み出しステップにおいて読み出された一又は複数の前記画像データファイルに係る一又は複数の画像のうち、前記抽出ステップにおいて抽出された画像データファイルに係る画像を含む注文画面をディスプレイに表示する注文画面表示ステップとを備えている。
【０００７】
なお、「画像の画質」は、例えば、撮影時におけるレンズの焦点距離とカメラ−撮影対象物間の距離との乖離（ピンぼけ）の度合いや、撮影時におけるカメラの微小な変位（手ぶれ）の度合いによって評価されてよい。また、「画像の内容」は、例えば、被写体の頭部が画面からはみ出しているか否かなどの構図の善し悪しの度合いや、被写体の視線方向のカメラ方向からのずれの度合いによって評価されてよい。
【０００８】
これらの構成によると、プリント注文受付装置を操作する顧客は、ディスプレイに表示されたプリントに適した画像の中から、プリントを注文する画像を選択する。したがって、プリント注文受付装置の操作者一人当たりの占有時間を短縮することができる。
【０００９】
本発明のプリント注文受付装置は、前記読み出し部によって読み出された一又は複数の前記画像データファイルに対して画像認識処理を行う画像認識手段をさらに備えており、前記抽出手段が、前記画像認識手段によって行われた画像認識処理の結果を用いて、プリントに適した画像データファイルを抽出してもよい。この構成によると、読み出し部から読み出された画像が、例えば、画質や内容のパラメータの情報を含まない、現像済みの写真フィルムの画像をスキャナで読み取ることによって得られた画像データファイルであっても、画像認識手段によって画質や内容のパラメータを取得することで、プリントに適した画像データファイルを抽出することができる。
【００１０】
本発明のプリント注文受付装置は、前記読み出し部によって読み出された画像データファイルに係る画像の画質及び内容の少なくともいずれか一方についてのパラメータを前記記録媒体又は当該画像データファイルから取得するパラメータ取得手段をさらに備えており、前記抽出手段が、前記パラメータ取得手段が取得したパラメータを用いて、プリントに適した画像データファイルを抽出してもよい。この構成によると、パラメータ取得手段によって画質や内容のパラメータを取得することで、容易に画像データファイルの抽出を行うことができる。
【００１１】
本発明のプリント注文受付装置は、前記読み出し部が読み出した一又は複数の画像データファイルに係る一又は複数の画像のうちで、前記ディスプレイへの表示が望まれる又は望まれない画像の画質及び内容の少なくともいずれか一方に係る複数の選択肢のうち少なくともいずれか１つを入力する画質・内容入力手段をさらに備えており、前記抽出手段が、前記画質・内容入力手段によって入力された一又は複数の選択肢に適合した又は適合しないパラメータを有する画像データファイルを抽出してもよい。この構成によると、抽出手段による画像データファイルの抽出に用いられる選択肢を、操作者が画質・内容入力手段によって入力することができる。
【００１２】
本発明のプリント注文受付装置は、画質及び内容の少なくともいずれか一方に係る複数の選択肢を含む選択画面を前記ディスプレイに表示させる選択画面表示制御手段をさらに備えていてもよい。この構成によると、操作者は、選択画面に表示された複数の選択肢の中から、希望する選択肢を容易に選択することができる。
【００１３】
本発明のプリント注文受付装置は、注文の完了が指示されたかを確認する確認手段をさらに備えており、注文の完了が指示されたと前記確認手段が確認するまで、前記画質・内容入力手段が選択肢を複数回入力可能であり、前記画質・内容入力手段が選択肢を入力するごとに、前記抽出手段がプリントに適した画像データファイルを抽出してもよい。この構成によると、異なる選択肢で複数回画像データファイルの抽出を行い、注文画面表示制御手段によってディスプレイに表示される画像を複数回変更することができる。
【００１４】
本発明のプリント注文受付装置は、前記注文画面表示制御手段が、前記読み出し部によって読み出された一又は複数の前記画像データファイルに係る一又は複数の画像のうち、前記抽出手段が抽出しなかった画像データファイルに係る画像を含む注文画面を前記ディスプレイに表示させてもよい。この構成によると、操作者が、抽出手段が抽出しなかった画像データファイルの中に、プリントを希望する画像データファイルが含まれていない否かを確認することができる。
【発明を実施するための最良の形態】
【００１５】
以下、本発明の好適な実施の形態について、図面を参照しつつ説明する。図１は、本発明の第１の実施の形態に係るプリント注文受付装置を備えたプリントシステムの概略構成を示す図である。
【００１６】
図１に示すように、プリントシステム１は、顧客から写真プリントの注文を受け付ける２台のプリント注文受付装置１０１と、写真プリントを作成する写真処理装置２０１とを備えている。なお、本実施の形態のプリント注文受付装置１０１では、ＣＤ−Ｒへの書き込みの注文も受け付ける。また、本実施の形態のプリントシステム１は、ＤＰ店の既設の写真処理装置２０１に、イーサネット（登録商標）ケーブル３１０及びハブ３２０を含むデータ伝送ネットワーク３０１により、２台のプリント注文受付装置１０１を接続することによって構築されたものである。
【００１７】
プリントシステム１では、顧客が、持参したデジタルカメラで撮影された画像データファイルを保存したスマートメディア、コンパクトフラッシュ（登録商標）、メモリスティック（登録商標）や、個人で画像データファイルを保存したＣＤ−Ｒ、ＭＯ等の記録媒体（以降、まとめて「メディア」と称する）をプリント注文受付装置１０１にセットすると、プリント注文受付装置１０１が、セットされたメディアから画像データファイルを読み出すと共に、これらの画像データファイル及びこれらの画像データファイルに対して顧客が入力したプリントサイズ、プリント枚数、及び補正値（後で詳述する）等の注文情報を写真処理装置２０１に送信し、写真処理装置２０１が、プリント注文受付装置１０１から受信した画像データファイル及び注文情報に基づいて写真プリントを作成する。
【００１８】
プリント注文受付装置１０１は、図２に示すように、プリント注文受付装置１０１を制御するコントローラ１２０を格納する筐体１１０と、筐体１１０の上面に配置されており、プリント注文受付装置１０１に関する様々な情報を表示して操作者（顧客）に告知するディスプレイ１４０とを備えている。ディスプレイ１４０の表面には、注文情報等を入力するためのタッチパネル１４１が形成されている。また、筐体１１０の前面（図２における紙面左手前側の面）には、各種メディアにそれぞれ対応する複数のメディアドライブ１５０が設けられている。メディアドライブ１５０は、セットされたメディアに記録された画像データファイルを読み出す。さらに、筐体１１０の上面には、受付証を印字する受付証印字プリンタ１６０が設けられている。
【００１９】
ここで、図３に、コントローラ１２０の主要部の構成を示す。図３に示すように、コントローラ１２０には、データ伝送ネットワーク３０１に接続するためのネットワークインターフェイス１３９が接続されている。また、コントローラ１２０は、画像データ記憶部１２１、画像認識部１２２、抽出項目記憶部１２３、抽出レベル記憶部１２４、抽出部１２５、表示画像記憶部１２６、表示制御部１２７、注文情報記憶部１２８、顧客情報記憶部１２９、抽出項目書換部１３０、抽出レベル書換部１３１、注文情報書換部１３２、表示画像書換部１３３、確認部１３４、及び送信部１３５を有している。
【００２０】
画像データ記憶部１２１は、メディアドライブ１５０によって顧客が持参したメディアから読み出された複数の画像データファイルを記憶する。
【００２１】
画像認識部１２２は、画像データ記憶部１２１に記憶された画像データファイルに対して、画像認識処理を行う。より詳細には、画像認識部１２２は、画像データファイルに係る画像の画質及び内容についてのパラメータの値を取得する。
【００２２】
ここで、画質についてのパラメータの値の取得方法の一例について説明する。本実施の形態では、画質についてのパラメータとしては、ピンぼけの程度を示すピンぼけパラメータ、及び手ぶれの程度を示す手ぶれパラメータを取得する。一般に、輪郭がぼけた画像は空間周波数が低いという特徴を有しているため、ピンぼけパラメータとしては、画像認識処理によって取得された空間周波数が記憶される。また、ぶれた画像は一方向に沿って同一画素値を有する画素が並ぶという特徴を有しているため、手ぶれパラメータとしては、画像認識処理によって得られた一方向に続く同一画素値を有する画素の量が記憶される。
【００２３】
次に、内容についてのパラメータの値の取得方法の一例について説明する。本実施の形態では、内容についてのパラメータとしては、構図の良し悪しの基準となる、被写体の頭部の画面からのはみ出し量を示すはみ出し量パラメータ、及び被写体が向いている方向と被写体からカメラに向かう方向とのずれ量を示すずれ量パラメータを取得する。画像認識処理によって、被写体の頭部と胴体部との大きさを取得し、取得された胴体部の大きさに対応する標準的な頭部の大きさに対する取得された頭部の大きさの割合をはみ出し量パラメータとして記憶する。また、画像認識処理によって、被写体の目の大きさを取得し、取得された両目の大きさの差から算出される被写体が向いている方向とカメラの方向（正面方向）との間の角度をずれ量パラメータとして記憶する。
【００２４】
なお、ピンぼけパラメータの値は、大きい程ピンぼけの程度が軽くプリントに適した画像であり、小さくなる程プリントに適していない画像であると言える。また、手ぶれパラメータの値は、小さい程手ぶれの程度が軽くプリントに適した画像であり、大きくなる程プリントに適してない画像であると言える。はみ出し量パラメータの値については、大きい程取得された頭部の大きさが標準的な頭部の大きさに近く、つまり頭部がほとんど画面からはみ出しておらず、プリントに適した画像であり、小さくなる程プリントに適していない画像であると言える。さらに、ずれ量パラメータの値については、小さい程被写体がカメラの方を向いており、プリントに適した画像であり、大きくなる程プリントに適していない画像であると言える。
【００２５】
抽出項目記憶部１２３は、後で詳述する抽出部１２５で行われる抽出処理における抽出項目を記憶する。具体的には、上述の画質及び内容についての４項目（種類）のパラメータのうち、抽出部１２３で抽出処理が行われる際にどの項目が用いられるかが記憶されている。本実施の形態では、抽出項目記憶部１２３は、どの項目が用いられるかについて、以下の３種類のいずれかを選択的に記憶する。その３種類とは、画質に関する２つの項目の組合せ、内容に関する２つの項目の組合せ、または画質及び内容に関する４つの項目の組合せである。なお、本実施の形態では、抽出項目記憶部１２３には、デフォルトで、画質及び内容に関する４つの項目の組合せが抽出部１２３で用いられると記憶されている。
【００２６】
抽出レベル記憶部１２４は、後で詳述する抽出部１２５で行われる抽出処理における抽出レベルを記憶する。具体的には、上述の画像の画質及び内容についての４項目のパラメータのうち抽出項目記憶部１２３に記憶されている項目について、プリントに適しているか否かの判断基準となるパラメータの閾値がそれぞれ記憶される。そして、抽出レベル記憶部１２４に記憶されている閾値は、抽出部１２３で行われる抽出処理に用いられる。なお、本実施の形態では、抽出レベル記憶部１２４には、経験的にプリントに適している、適していないの境界と思われる画質及び内容に関する４つの閾値（ピンぼけ閾値、手ぶれ閾値、はみ出し量閾値、及びずれ量閾値）があらかじめ記憶されている。
【００２７】
抽出部１２５は、画像データ記憶部１２１に記憶されている画像データファイルの中から、上述の抽出レベル記憶部１２４に記憶されている閾値を用いてプリントに適した画像データファイルを抽出する。ここで、抽出部１２５で行われる処理の手順を示すフローチャートである図６を用いて、抽出部１２５で行われる処理について、より詳細に説明する。なお、図６に示すフローチャートは、抽出レベル記憶部１２４に画質及び内容に関する４つのパラメータの閾値がそれぞれ記憶されている場合の処理手順を示している。
【００２８】
まず、画像認識部１２２が取得したピンぼけパラメータの値が、抽出レベル記憶部１２４に記憶されているピンぼけ閾値よりも大きい画像データファイルを抽出する（ステップＳ４０１）。続いて、ステップＳ４０１で抽出された画像データファイルの中から、画像認識部１２２が取得した手ぶれパラメータの値が、抽出レベル記憶部１２４に記憶されている手ぶれ閾値よりも小さい画像データファイルを抽出する（ステップＳ４０２）。ステップＳ４０２により、画質に関してプリントに適している画像が抽出される。なお、ステップＳ４０１、Ｓ４０２での処理をまとめて、「画質適合画像抽出処理」と称する。
【００２９】
次に、ステップＳ４０２で抽出された画像データファイルの中から、画像認識部１２２が取得したはみ出し量パラメータの値が、抽出レベル記憶部１２４に記憶されているはみ出し量閾値よりも大きい画像データファイルを抽出する（ステップＳ４０３）。その後、ステップＳ４０３で抽出された画像データファイルの中から、画像認識部１２２が取得したずれ量パラメータの値が、抽出レベル記憶部１２４に記憶されているずれ量閾値よりも小さい画像データファイルを、画質及び内容に関してプリントに適した画像として抽出する（ステップＳ４０４）。なお、ステップＳ４０３、Ｓ４０４での処理をまとめて、「内容適合画像抽出処理」と称する。
【００３０】
抽出レベル記憶部１２４に画質に関する２つのパラメータの閾値のみが記憶されている場合は、抽出部１２５では、上述の画質適合画像抽出処理のみが行われる。また、抽出レベル記憶部１２４に内容に関する２つのパラメータの閾値のみが記憶されている場合は、抽出部１２５では、上述の内容適合画像抽出処理のみが行われる。
【００３１】
表示画像記憶部１２６は、ディスプレイ１４０にサムネイル画像を表示するときに用いられる画像データファイルを記憶する。なお、本実施の形態では、表示画像記憶部１２６には、画像データファイルそのものではなく、対応する画像データファイルのファイル名が記憶されることとする。
【００３２】
表示制御部１２７は、ディスプレイ１４０に、後で詳述する初期画面１０（図９参照）、メディアセット案内画面１２（図１０参照）、サービス選択画面１４（図１１参照）、プリントサイズ選択画面１８（図１２参照）、抽出項目・抽出レベル選択画面２４（図１３参照）、注文画面３０（図１４〜図１５参照）、不適合画像表示確認画面４０（図１７参照）、名前入力画面４２（図１８参照）、注文内容確認画面４６（図１９参照）、及び受付証発行画面４８（図２０参照）を表示する。また、表示制御部１２７は、後で詳述する８コマのサムネイル画像を含む注文画面３０を、表示画像記憶部１２６にファイル名が記憶されている複数の画像データファイルに係る複数のサムネイル画像のうち、未だディスプレイ１４０に表示されていないサムネイル画像を含む別の注文画面３０に切り換える。
【００３３】
注文情報記憶部１２８は、顧客がタッチパネル１４１を用いて入力した各画像データファイルに対する注文情報を記憶する。注文情報記憶部１２８は、顧客が注文する写真プリントのサイズを記憶するプリントサイズ記憶部１２８ａと、画像データ記憶部１２１に記憶されている複数の画像データファイルに係る複数の画像のプリント枚数をそれぞれ記憶するプリント枚数記憶部１２８ｂと、各画像データファイルのＲ（赤）、Ｇ（緑）、Ｂ（青）の各色及び濃度の補正値をそれぞれ記憶する補正値記憶部１２８ｃと、画像データ記憶部１２１に記憶されている複数の画像データファイルのうち、後述するＣＤ−Ｒドライブ２６１にセットされているＣＤ―Ｒにどの画像データファイルを書き込むかを記憶する書き込み画像記憶部１２８ｄとを有している。なお、本実施の形態では、プリントサイズ記憶部１２８ａには、デフォルトでＬ版サイズでプリントされるように記憶されている。また、プリント枚数記憶部１２８ｂには、デフォルトで各画像が１枚ずつプリントされるように記憶されている。さらに、補正値記憶部１２８ｃには、デフォルトでいずれの補正値もゼロと記憶されている。加えて、書き込み画像記憶部１２８ｄには、デフォルトでどの画像データファイルもＣＤ−Ｒに書き込みされないように記憶されている。顧客情報記憶部１２９は、図１８に示す名前入力画面４２で顧客が入力した名前を記憶する。
【００３４】
抽出項目書換部１３０は、抽出項目記憶部１２３に記憶されている項目を、図１３に示す抽出項目・抽出レベル選択画面２４で顧客が入力した項目に書き換える。抽出レベル書換部１３１は、抽出レベル記憶部１２４に記憶されている抽出レベルを、図１３に示す抽出項目・抽出レベル選択画面２４で顧客が入力した抽出レベルに書き換える。
【００３５】
注文情報書換部１３２は、プリントサイズ書換部１３２ａと、プリント枚数書換部１３２ｂと、補正値書換部１３２ｃと、書き込み画像書換部１３２ｄとを有している。プリントサイズ書換部１３２ａは、プリントサイズ記憶部１２８ａに記憶されているプリントサイズを、図１２に示すプリントサイズ選択画面１８で顧客が選択したプリントサイズに書き換える。プリント枚数書換部１３２ｂは、プリント枚数記憶部１２８ｂに記憶されている各画像のプリント枚数を、図１４、図１５に示す注文画面３０で各画像に対して顧客が入力したプリント枚数に書き換える。補正値書換部１３２ｃは、補正値記憶部１２８ｃに記憶されている各画像データファイルの補正値を、図１４〜図１６に示す注文画面３０で各画像に対して顧客が入力した補正値に書き換える。書き込み画像書換部１３２ｄは、書き込み画像記憶部１２８ｄの記憶内容を、図１６に示す注文画面３０で顧客が選択した画像に係る画像データファイルがＣＤ−Ｒに書き込まれるように書き換える。
【００３６】
表示画像書換部１３３は、表示画像記憶部１２６に記憶されているファイル名を書き換える。より詳細には、表示画像書換部１３３は、図１７に示す不適合画像表示確認画面４０で顧客がＹＥＳボタン４１を操作した際に、表示画像記憶部１２６に記憶されているファイル名を、画像データ記憶部１２１に記憶されている画像データファイルのうち、ＹＥＳボタン４１が操作された時点で表示画像記憶部１２６に記憶されているファイル名に係る画像データファイル以外の画像データファイルのファイル名に書き換える。
【００３７】
確認部１３４は、注文の完了が顧客によって指示されたことを確認する。具体的には、確認部１３４は、後で詳述する注文内容確認画面４６（図１９参照）に表示されるＯＫボタン４７が顧客に操作されたことを確認する。
【００３８】
送信部１３５は、上述の確認部１３４によって注文の完了が確認された後、プリント枚数記憶部１２８ｂに記憶されているプリント枚数が１枚以上である画像データファイルまたは書き込み画像記憶部１２８ｄにＣＤ−Ｒに書き込む画像として記憶されている画像データファイル、及び当該画像データファイルに対して顧客が入力した注文情報（以降、まとめて「出力情報」と称する）を写真処理装置２０１に送信する。
【００３９】
次に、図４を参照しつつ、写真処理装置２０１の概略構成について説明する。図４に示すように、写真処理装置２０１は、インターフェイス部２１０と、フィルムスキャナ２２０と、コントローラ２３０と、プリンタプロセッサ２５０とを有している。
【００４０】
インターフェイス部２１０では、写真処理装置２０１とそれを操作するオペレータとの間の情報のやり取りが行われる。インターフェイス部２１０は、写真処理装置２０１に関する様々な情報を表示してオペレータに告知するディスプレイ２１１と、オペレータが写真処理装置２０１に対して指示を与えるキーボード２１２やマウス２１３からなる入力デバイスとを有している。
【００４１】
フィルムスキャナ２２０は、写真フィルムを副走査方向（図４において矢印Ａで示す方向）に一定速度で搬送するフィルムキャリア２２１と、フィルムキャリア２２１によって搬送される写真フィルムに光を照射する光源２２２と、写真フィルムを透過した光を受光するように配置されており、写真フィルムのコマ画像を光電変換するためのＣＣＤラインセンサユニット２２６と、ＣＣＤラインセンサユニット２２６の出力信号を処理する図示しない処理回路とを有している。
【００４２】
ＣＣＤラインセンサユニット２２６は、約５０００個の受光部を写真フィルムの幅方向に配列したＣＣＤラインセンサを３列に並べて備えており、各ＣＣＤラインセンサの受光面にはそれぞれ赤色、緑色、青色のカラーフィルタが形成されて、写真フィルムのコマ画像を色分解して検出する。処理回路は、ＣＣＤラインセンサユニット２２６の出力アナログ信号を増幅した後Ａ／Ｄ変換を行って出力する。従って、フィルムスキャナ２２０では、フィルムキャリア２２１に写真フィルムがセットされると、搬送される写真フィルム上のコマ画像が順次読み取られて、赤色、緑色、青色毎のデジタル画像データファイルがコントローラ２３０に対して送信される。
【００４３】
コントローラ２３０では、写真処理装置２０１の制御が行われる。コントローラ２３０には、データ伝送ネットワーク３０１に接続するためのネットワークインターフェイス２４９が接続されている。さらに、コントローラ２３０には、ＣＤ−Ｒ（Compact Disc-Recordable：１度だけ書き込み可能な追記型ＣＤ）に対してデータの読み書きを行うＣＤ−Ｒドライブ２６１が接続されている。
【００４４】
ここで、図５に、コントローラ２３０の主要部の構成を示す。図５に示すように、コントローラ２３０は、データ前処理部２３１、画像データ記憶部２３２、注文情報記憶部２３３、画像処理部２３４、搬送制御部２３５、切断制御部２３６、露光制御部２３７、及び書き込み部２３８を有している。
【００４５】
データ前処理部２３１は、プリント注文受付装置１０１から受信した出力情報を、画像データファイルと注文情報とに区分けすると共に、画像データファイルを画像データ記憶部２３２に転送し、注文情報を注文情報記憶部２３３に転送する。画像データ記憶部２３２は、データ前処理部２３１から転送された画像データファイルを記憶する。注文情報記憶部２３３は、データ前処理部２３１から転送された注文情報を記憶する。
【００４６】
画像処理部２３４は、画像データ記憶部２３２に記憶されている画像データファイルに対して、必要に応じてプリントサイズに合致した画像サイズに変換するための処理や鮮鋭化処理などの各種の画像処理を施す。
【００４７】
搬送制御部２３５は、注文情報記憶部２３３に記憶されている注文情報通りに写真プリントが作成されるように、後述する搬送ローラ対２５５の動作を制御する。切断制御部２３６は、注文情報記憶部２３３に記憶されている注文情報通りに写真プリントが作成されるように、後述するカッター２５６の動作を制御する。露光制御部２３７は、画像処理部２３４によって画像処理が施された画像データファイルに係る画像の潜像が印画紙に形成されるように、後述する露光ユニット２５８を制御する。書き込み部２３８は、注文情報記憶部２３３に記憶されている注文情報通りにＣＤ−Ｒドライブ２６１にセットされたＣＤ−Ｒに画像データファイルを書き込む。
【００４８】
プリンタプロセッサ２５０は、コントローラ２３０から送信された画像処理済みの画像データファイルに基づいて、印画紙に対して露光を行うプリンタ２５１と、露光済みの印画紙に対して現像、漂白、安定化などの処理が施されるプロセッサ２５２と、プロセッサ２５２から排出された印画紙を乾燥させる仕上げ処理部２５３とを有している。
【００４９】
プリンタ２５１は、印画紙を収納するペーパーマガジン２５４と、印画紙をペーパーマガジン２５４から引き出しつつ搬送する複数の搬送ローラ対２５５と、搬送ローラ対２５５によって搬送される印画紙をプリントサイズにカットするカッター２５６と、カッター２５６によってカットされた印画紙に対して露光処理を施し、画像処理部２３４によって画像処理が施された画像データファイルに対応する画像の潜像を形成する露光ユニット２５８とを有している。なお、露光ユニット２５８は、例えばレーザ露光方式、ＰＬＺＴ方式、ＣＲＴ方式など適宜のものを採用することができる。
【００５０】
そして、プリンタ２５１において潜像が形成された印画紙は、プロセッサ２５２を経て仕上げ処理部２５３へと搬送され、仕上がりの写真プリントとして排出される。
【００５１】
なお、本実施の形態の写真処理装置２０１では、データ伝送ネットワーク３０１によって接続されている２台のプリント注文受付装置１０１からそれぞれ送信される画像データファイルのプリント処理を並列して行うことができる。また、２台のプリント注文受付装置１０１からそれぞれ信される画像データファイルのプリント処理に加えて、フィルムスキャナ２２０から送信される画像データファイルのプリント処理を並列して行うこともできる。
【００５２】
ここで、本実施の形態のプリントシステム１において、写真プリントを作成する手順について説明する。まず、図７及び図８を用いて、プリント注文受付装置１０１における処理手順について説明する。図７は、プリント注文受付装置１０１において写真プリントの注文を受け付ける手順を示すフローチャートである。図８は、図７に示すフローチャート中に行われる割り込み処理の手順を示すフローチャートである。
【００５３】
まず、表示制御部１２７によって、ディスプレイ１４０に、図９に示すような初期画面１０が表示される（ステップＳ１０１）。初期画面１０には、図９に示すように、写真プリントの注文を希望する顧客に対して、タッチパネル１４１となっているディスプレイ１４０の画面に触れるように促すメッセージが表示される。そして、顧客がディスプレイ１４０の画面に触れたか否かが判断される（ステップＳ１０２）。
【００５４】
顧客がディスプレイ１４０の画面に触れていないと判断された場合には（ステップＳ１０２：ＮＯ）、ディスプレイ１４０の画面に触れたと判断されるまで、ステップＳ１０２の判断が繰り返される。一方、顧客がディスプレイ１４０の画面に触れたと判断された場合には（ステップＳ１０２：ＹＥＳ）、表示制御部１２７によって、ディスプレイ１４０に、図１０に示すようなメディアセット案内画面１２が表示される（ステップＳ１０３）。メディアセット案内画面１２には、図１０に示すように、顧客に対して、持参したメディアをメディアドライブ１５０にセットし、画面右下に表示されているＯＫボタン１３を押すように促すメッセージが表示される。
【００５５】
その後、後で詳述する割り込み処理が開始される（ステップＳ１０４）。引き続いて、メディアセット案内画面１２のＯＫボタン１３が操作されたか否かが判断される（ステップＳ１０５）。ＯＫボタン１３が操作されていないと判断された場合には（ステップＳ１０５：ＮＯ）、ＯＫボタン１３が操作されたと判断されるまで、ステップＳ１０５の判断が繰り返される。一方、ＯＫボタン１３が操作されたと判断された場合には（ステップＳ１０５：ＹＥＳ）、メディアドライブ１５０によって、セットされたメディアに記録された画像データファイルが読み出される（ステップＳ１０６）。
【００５６】
続いて、表示制御部１２７によって、ディスプレイ１４０に、図１１に示すようなサービス選択画面１４が表示される（ステップＳ１０７）。サービス選択画面１４には、図１１に示すように、写真プリントの作成を指示するプリント選択ボタン１５と、ＣＤ−Ｒへの書き込みを指示する書き込み選択ボタン１６とが表示される。
【００５７】
ここで、書き込み選択ボタン１６が操作されたか否かが判断される（ステップＳ１０８）。書き込み選択ボタン１６が操作されたと判断された場合には（ステップＳ１０８：ＹＥＳ）、後述するステップＳ１０９〜ステップＳ１１２を省略して、ステップＳ１１３に進む。また、書き込み選択ボタン１６が操作されなかったと判断された場合には（ステップＳ１０８：ＮＯ）、プリント選択ボタン１５が操作されたか否かが判断される（ステップＳ１０９）。プリント選択ボタン１５が選択されなかったと判断された場合には（ステップＳ１０９：ＮＯ）、ステップＳ１０８に戻って、書き込み選択ボタン１６が操作されたか否かの判断が再び行われる。
【００５８】
一方、プリント選択ボタン１５が選択されたと判断された場合には（ステップＳ１０９：ＹＥＳ）、表示制御部１２７によって、ディスプレイ１４０に、図１２に示すようなプリントサイズ選択画面１８が表示される（ステップＳ１１０）。プリントサイズ選択画面１８には、図１２に示すように、Ｌ版、２Ｌ版、六つ切の３つのプリントサイズの大きさ、単価、基本料金がそれぞれ表示される。また、Ｌ版選択ボタン１９、２Ｌ版選択ボタン２０、及び六つ切選択ボタン２１が表示される。
【００５９】
続いて、Ｌ版選択ボタン１９、２Ｌ版選択ボタン２０、または六つ切選択ボタン２１のいずれか１つが操作され、プリントサイズが選択されたか否かが判断される（ステップＳ１１１）。プリントサイズが選択されていないと判断された場合には（ステップＳ１１１：ＮＯ）、プリントサイズが選択されたと判断されるまで、ステップＳ１１１の判断が繰り返される。一方、プリントサイズが選択されたと判断された場合には（ステップＳ１１１：ＹＥＳ）、プリントサイズ書換部１３２ａによって、プリントサイズ記憶部１２８ａに記憶されているプリントサイズが選択されたプリントサイズに書き換えられる（ステップＳ１１２）。その後、メディアから読み出された複数の画像データファイルが、画像データ記憶部１２１に記憶される（ステップＳ１１３）。
【００６０】
次いで、表示制御部１２７によって、ディスプレイ１４０に、図１３に示すような抽出項目・抽出レベル選択画面２４が表示される（ステップＳ１１４）。抽出項目・抽出レベル選択画面２４には、図１３に示すように、抽出項目に関する３つの選択肢として、画質に関するする２つのパラメータを用いて画像データファイルを抽出することを選択する画質ボタン２５ａ、内容に関する２つのパラメータを用いて画像データファイルを抽出することを選択する内容ボタン２５ｂ、及び画質及び内容に関する４つのパラメータを用いて画像データファイルを抽出することを選択する画質・内容ボタン２５ｃが表示される。また、抽出項目・抽出レベル選択画面２４には、抽出レベルを定める３つの選択肢として、ややプリントに適していないと思われる画像に係る画像データファイルまでもが抽出されるような閾値を用いて抽出を行う緩いボタン２６ａと、標準的にプリントに適していると思われる画像に係る画像データファイルが抽出されるような閾値を用いて抽出を行う標準ボタン２６ｂと、極めてプリントに適していると思われる画像に係る画像データファイルのみが抽出されるような閾値を用いて抽出を行う厳しいボタン２６ｃとが表示される。さらに、抽出項目・抽出レベル選択画面２４の右下には、ＯＫボタン２７が表示される。
【００６１】
ここで、画質ボタン２５ａ、内容ボタン２５ｂ、及び画質・内容ボタン２５ｃの３つの選択肢のうちいずれか１つが選択され、抽出項目が入力されたか否かが判断される（ステップＳ１１５）。抽出項目が入力されていないと判断された場合には（ステップＳ１１５：ＮＯ）、後述するステップＳ１１６を省略してステップＳ１１７に進む。一方、抽出項目が入力されたと判断された場合には（ステップＳ１１５：ＹＥＳ）、抽出項目記憶部１２３に記憶されている抽出項目が、ステップＳ１１５で入力された抽出項目に書き換えられる（ステップＳ１１６）。
【００６２】
続いて、緩いボタン２６ａ、標準ボタン２６ｂ、及び厳しいボタン２６ｃの３つの選択肢のうちいずれか１つが選択され、抽出レベルが入力されたか否かが判断される（ステップＳ１１７）。抽出レベルが入力されていないと判断された場合には（ステップＳ１１７：ＮＯ）、後述するステップＳ１１８を省略してステップＳ１１９に進む。一方、抽出レベルが入力されたと判断された場合には（ステップＳ１１７：ＹＥＳ）、抽出レベル記憶部１２４に記憶されている抽出レベルが、ステップＳ１１７で入力された抽出レベルに書き換えられる（ステップＳ１１８）。
【００６３】
さらに、ＯＫボタン２７が操作されたか否かが判断される（ステップＳ１１９）。ＯＫボタン２７が操作されなかったと判断された場合には（ステップＳ１１９：ＮＯ）、ステップＳ１１５に戻って、抽出項目の入力が行われたか否かの判断が再び行われる。一方、ＯＫボタン２７が操作されたと判断された場合には（ステップＳ１１９：ＹＥＳ）、抽出部１２５が、抽出レベル記憶部１２４に記憶されている閾値を用いて、画像データ記憶部１２１に記憶されている画像データファイルの中から、図６に示した手順にしたがって、プリントに適した画像データファイルを抽出する（ステップＳ１２０）。このとき、抽出部１２５によって抽出された画像データファイルのファイル名は、表示画像記憶部１２６に記憶される。
【００６４】
次いで、表示制御部１２７によって、ディスプレイ１４０に、図１４に示すような注文画面３０が表示される（ステップＳ１２１）。注文画面３０には、図１４に示すように、表示画像記憶部１２６にファイル名が記憶されている画像データファイルに係るサムネイル画像のうちの８コマ分のサムネイル画像と各サムネイル画像のプリント枚数とが表示される。また、各サムネイル画像のプリント枚数を増加させる増加ボタン３１及び減少させる減少ボタン３２が表示される。さらに、注文画面３０の右上には、各サムネイル画像に係る画像データファイルに対して、Ｒ、Ｇ、Ｂの各色及び濃度の補正値をそれぞれ増加させる増加ボタン３３ａ、３３ｂ、３３ｃ、３３ｄ、及び減少させる減少ボタン３４ａ、３４ｂ、３４ｃ、３４ｄが表示されている。なお、補正値を入力する際には、まず、タッチパネル１４１の補正値を入力するサムネイル画像が表示されている部分に触れる。このとき、触れられた画像は、図１４の注文画面３０の左上のサムネイル画像のように、選択された状態となる。この状態で、増加ボタン３３ａ〜３３ｄまたは減少ボタン３４ａ〜３４ｄを操作することによって補正値を入力することができる。加えて、注文画面３０の右下には、注文画面３０を、表示画像記憶部１２６にファイル名が記憶されている画像データファイルに係るサムネイル画像のうち、未だディスプレイ１４０に表示されていないサムネイル画像を含む別の注文画面３０に切り換えるための切換ボタン３５が表示される。
【００６５】
また、表示画像記憶部１２６にファイル名が記憶されている画像データファイルに係るサムネイル画像のうち、未だディスプレイ１４０に表示されていないサムネイル画像が８コマ以下である場合には、図１５に示すような最終ページの注文画面３０が表示される。注文画面３０の最終ページには、図１４に示す（最終ページでない）注文画面３０と同様に、サムネイル画像（８コマ以下）と、各サムネイル画像のプリント枚数と、プリント枚数を増減させる増加ボタン３１及び減少ボタン３２と、補正値を増減させる増加ボタン３３ａ〜３３ｄ及び減少ボタン３４ａ〜３４ｄとが表示される。さらに、最終ページの注文画面３０の右下には、図１５に示すように、ＯＫボタン３６が表示される。
【００６６】
なお、上述のステップＳ１０８において、ＣＤ−Ｒへの書き込みサービスが選択された場合には、図１６に示すような書き込みサービス用の注文画面３０が表示される。書き込みサービス用の注文画面３０には、図１４に示す（プリントサービス用の）注文画面３０と同様に、８コマのサムネイル画像と、補正値を増減させる増加ボタン３３ａ〜３３ｄ及び減少ボタン３４ａ〜３４ｄと、切り換えボタン３５とが表示される。また、書き込みサービス用の注文画面３０には、各サムネイル画像に係る画像データファイルをＣＤ−Ｒに書き込むか否かを選択する書き込み選択ボタン３７が表示される。さらに、書き込みサービス用の注文画面３０の最終ページ（図示せず）には、図１６に示す（最終ページでない）注文画面３０の切り換えボタン３５に対応する位置に、ＯＫボタンが表示される。
【００６７】
続いて、増加ボタン３１または減少ボタン３２が操作されて、プリント枚数が入力されたか否かが判断される（ステップＳ１２２）。プリント枚数の入力が行われていないと判断された場合には（ステップＳ１２２：ＮＯ）、後述するステップＳ１２３を省略してステップＳ１２４に進む。一方、プリント枚数の入力が行われたと判断された場合には（ステップＳ１２２：ＹＥＳ）、プリント枚数書換部１３２ｂによって、プリント枚数記憶部１２８ｂに記憶されているプリント枚数が入力されたプリント枚数に変更される（ステップＳ１２３）。
【００６８】
なお、ステップＳ１２１において、書き込みサービス用の注文画面３０が表示されている場合には、ステップＳ１２２では、書き込み選択ボタン３７が操作されたか否かが判断される。そして、書き込み選択ボタン３７が操作されたと判断された場合には（ステップＳ１２２：ＹＥＳ）、書き込み画像書換部１３２ｄによって、書き込み画像記憶部１２８ｄに記憶されている書き込み画像がステップＳ１２２で選択された画像に変更される（ステップＳ１２３）。
【００６９】
次いで、増加ボタン３３ａ〜３３ｄまたは減少ボタン３４ａ〜３４ｄが操作されて、補正値が入力されたか否かが判断される（ステップＳ１２４）。補正値の入力が行われていないと判断された場合には（ステップＳ１２４：ＮＯ）、後述するステップＳ１２５を省略してステップＳ１２６に進む。一方、補正値の入力が行われたと判断された場合には（ステップＳ１２４：ＹＥＳ）、補正値書換部１３２ｃによって、補正値記憶部１２８ｃに記憶されている補正値が入力された補正値に変更される（ステップＳ１２５）。
【００７０】
その後、切換ボタン３５（またはＯＫボタン３６）が押されたか否かが判断される（ステップＳ１２６）。切換ボタン３５（またはＯＫボタン３６）が押されていないと判断された場合には（ステップＳ１２６：ＮＯ）、ステップＳ１２２に戻り、再びプリント枚数の入力が行われたか否かが判断される。一方、切換ボタン３５（またはＯＫボタン３６）が押されたと判断された場合には（ステップＳ１２６：ＹＥＳ）、ディスプレイ１４０に表示されている注文画面３０が最終ページであるか否かが判断される（ステップＳ１２７）。注文画面３０が最終ページでないと判断された場合には（ステップＳ１２７：ＮＯ）、注文画面３０が、表示画像記憶部１２６にファイル名が記憶された画像データファイルに係るサムネイル画像のうち、未だディスプレイ１４０に表示されていないサムネイル画像を含む別の注文画面３０に切り換えられる（ステップＳ１２８）。そして、上述のステップＳ１２２に戻り、再びプリント枚数が入力されたか否かが判断される。
【００７１】
一方、注文画面３０が最終ページであると判断された場合には（ステップＳ１２７：ＹＥＳ）、注文画面３０に表示されているサムネイル画像が、抽出部１２５によって抽出された画像データファイル、すなわちプリントに適した画像に係るサムネイル画像であるか否かが判断される（ステップＳ１２９）。注文画面３０に表示されているサムネイル画像が、プリントに適した画像に係るサムネイル画像ではないと判断された場合には（ステップＳ１２９：ＮＯ）、後述するステップＳ１３０、Ｓ１３１、Ｓ１３３を省略して、ステップＳ１３４に進む。
【００７２】
また、注文画面３０に表示されているサムネイル画像が、プリントに適した画像に係るサムネイル画像であると判断された場合には（ステップＳ１２９：ＹＥＳ）、表示制御部１２７によって、ディスプレイ１４０に、図１７に示すような不適合画像表示確認画面４０が表示される（ステップＳ１３０）。不適合表示確認画面４０には、図１７に示すように、顧客にプリントに適していない画像をディスプレイ１４０に表示するか否かを確認するメッセージと、ＹＥＳボタン４１と、ＮＯボタン４２とが表示される。
【００７３】
続いて、ＹＥＳボタン４１が操作されたか否かが判断される（ステップＳ１３１）。ＹＥＳボタン４１が操作されたと判断された場合には（ステップＳ１３１：ＹＥＳ）、表示画像書換部１３３によって、表示画像記憶部１２６に記憶されているファイル名が画像データ記憶部１２１に記憶されている画像データファイルのうち、プリントに適していない画像データファイルのファイル名に書き換えられる（ステップＳ１３２）。その後、ステップＳ１２１に戻り、ディスプレイ１４０に、図１４〜図１６に示すような注文画面３０が表示される。なお、このとき、注文画面３０には、プリントに適していない画像に係るサムネイル画像が表示される。
【００７４】
一方、ＹＥＳボタン４１が操作されていないと判断された場合には（ステップＳ１３１：ＮＯ）、ＮＯボタン４２が操作されたか否かが判断される（ステップＳ１３３）。ＮＯボタン４２が操作されたと判断されなかった場合には（ステップＳ１３３：ＮＯ）、ステップＳ１３１に戻り、ＹＥＳボタン４１が操作されたか否かの判断が再び行われる。また、ＮＯボタン４２が操作されたと判断された場合には（ステップＳ１３３：ＹＥＳ）、表示制御部１２７によって、ディスプレイ１４０に、図１８に示すような名前入力画面４２が表示される（ステップＳ１３４）。名前入力画面４２には、図１８に示すように、名前を入力する入力キー４３と、入力キー４３から入力された名前を表示する表示部４４とが表示される。また、名前入力画面４２の右下には、ＯＫボタン４５が表示される。
【００７５】
そして、顧客が入力キー４３を用いて名前を入力し、ＯＫボタン４５を押したか否かが判断される（ステップＳ１３５）。ＯＫボタン４５が押されていないと判断された場合には（ステップＳ１３５：ＮＯ）、ＯＫボタン４５が押されたと判断されるまで、ステップＳ１３５での判断が繰り返される。一方、ＯＫボタン４５が押されたと判断された場合には（ステップＳ１３５：ＹＥＳ）、名前入力画面４２で入力された名前が、顧客情報記憶部１２９に記憶される（ステップＳ１３６）。
【００７６】
続いて、表示制御部１２７によって、ディスプレイ１４０に、図１９に示すような注文内容確認画面４６が表示される（ステップＳ１３７）。注文内容確認画面４６には、図１９に示すように、顧客の名前、プリントサイズ、プリント枚数、料金等が表示される。また、注文内容確認画面４６の右下には、ＯＫボタン４７が表示される。
【００７７】
ここで、顧客が、注文内容確認画面４６に表示された内容を確認し、ＯＫボタン４７を押したか否かが判断される（ステップＳ１３８）。ＯＫボタン４７が押されていないと判断された場合には（ステップＳ１３８：ＮＯ）、ＯＫボタン４７が押されたと判断されるまで、ステップＳ１３８の判断が繰り返される。一方、ＯＫボタン４７が押されたと判断された場合には（ステップＳ１３８：ＹＥＳ）、送信部１３５によって、注文画面３０においてプリント枚数を１枚以上に設定された（書き込みを行う画像に選択された）サムネイル画像に係る画像データファイルの出力情報が写真処理装置２０１に送信される（ステップＳ１３９）。なお、このとき、確認部１３４は、注文の完了が顧客によって指示されたことを確認する。
【００７８】
その後、表示制御部１２７によって、ディスプレイ１４０に、図２０に示すような受付証発行画面４８が表示される（ステップＳ１４０）。受付証発行画面４８には、図２０に示すように、顧客に対してメディアドライブ１５０からメディアを取り出すように促すメッセージと、受付証を発行していることを告知するメッセージとが表示される。続いて、受付証印字プリンタ１６０によって、受付証が発行される（ステップＳ１４１）。
【００７９】
次いで、図８を用いて、図７のフローチャートのステップＳ１０４で開始される割り込み処理の手順について説明する。ここで行われる割り込み処理は、図１０〜図１９に示す、メディアセット案内画面１２、サービス選択画面１４、プリントサイズ選択画面１８、抽出項目・抽出レベル選択画面２４、注文画面３０、不適合画像表示確認画面４０、名前入力画面４２、及び注文内容確認画面４６の右下にそれぞれ表示される戻るボタン９１と、左下にそれぞれ表示される中止ボタン９２との操作に関する処理であり、図７のフローチャートのステップＳ１０５〜ステップＳ１３８の処理と並行して行われる。
【００８０】
まず、戻るボタン９１が操作されたか否かが判断される（ステップＳ２０１）。戻るボタン９１が操作されたと判断された場合には（ステップＳ２０１：ＹＥＳ）、表示制御部１２７によって、ディスプレイ１４０に表示される画面が、直前に表示していた画面に切り換えられる（ステップＳ２０２）。具体的には、例えば、１ページ目の注文画面３０の戻るボタン９１が操作された場合には、抽出項目・抽出レベル選択画面２４に切り換えられる。また、例えば、１ページ目でない注文画面３０の戻るボタン９１が操作された場合には、直前に表示されていた注文画面３０に切り換えられる。
【００８１】
そして、ステップＳ２０２で切り換えられた画面が、初期画面１０であるか否か判断される（ステップＳ２０３）。初期画面１０であると判断された場合には（ステップＳ２０３：ＹＥＳ）、割り込み処理が終了する。また、初期画面１０でないと判断された場合には（ステップＳ２０３：ＮＯ）、上述のステップＳ２０１に戻り、再び戻るボタン９１の操作が行われたか否かの判断が行われる。
【００８２】
一方、戻るボタン９１が操作されていないと判断された場合には（ステップＳ２０１：ＮＯ）、中止ボタン９２が操作されたか否かが判断される（ステップＳ２０４）。中止ボタン９２が操作されたと判断された場合には（ステップＳ２０４：ＹＥＳ）、表示制御部１２７によって、ディスプレイ１４０に表示される画面が、初期画面１０に切り換えられる（ステップＳ２０５）。また、中止ボタン９２が操作されなかったと判断された場合には（ステップＳ２０４：ＮＯ）、ステップＳ２０１に戻って、再び戻るボタン９１が操作されたか否かの判断が繰り返される。
【００８３】
このように、割り込み処理は、確認部１３４によって注文の完了を指示されたことが確認されるまで行われる。
【００８４】
次に、写真処理装置２０１において写真プリントの作成またはＣＤ−Ｒへの書き込みを行う手順を示すフローチャートである図２１を用いて、写真処理装置２０１における処理手順について説明する。
【００８５】
まず、プリント注文受付装置１０１から出力情報を受信する（ステップＳ３０１）。次に、出力情報が、データ前処理部２３１によって、画像データファイルと注文情報とに区分けされる（ステップＳ３０２）。そして、画像データファイルは画像データ記憶部２３２転送されると共に記憶され、注文情報は注文情報記憶部２３３に転送されると共に記憶される（ステップＳ３０３）。続いて、画像処理部２３４によって、画像データ記憶部２３２に記憶された画像データファイルに対して、各種画像処理が施される（ステップＳ３０４）。
【００８６】
ここで、注文情報記憶部２３３に記憶されている内容から、具体的には、ＣＤ−Ｒにどの画像データファイルを書き込むかが記憶されているか否かから、顧客がＣＤ−Ｒへの書き込みサービスを希望しているか否かが判断される（ステップＳ３０５）。ＣＤ−Ｒへの書き込みサービスを希望している場合には（ステップＳ３０５：ＹＥＳ）、書き込み部２３８によって、画像処理済みの画像データファイルが、ＣＤ−Ｒドライブ２６１にセットされたＣＤ−Ｒに書き込まれる（ステップＳ３０６）。
【００８７】
一方、ＣＤ−Ｒへの書き込みサービスを希望していない場合には（ステップＳ３０５：ＮＯ）、複数の搬送ローラ対２５５によって、印画紙の搬送が開始される。（ステップＳ３０６）。次いで、カッター２５６によって、印画紙が、注文情報記憶部２３３に記憶されている注文情報に含まれるプリントサイズに切断される（ステップＳ３０８）。さらに、露光ユニット２５８によって、露光処理が施され、画像処理済みの画像データファイルに係る画像の潜像が形成される（ステップＳ３０９）。続いて、潜像が形成された印画紙が、プリンタ２５１からプロセッサ２５２に送り込まれ、現像・漂白・安定化などの処理が施される（ステップＳ３１０）。その後、画像が顕在化した印画紙が、プロセッサ２５２から仕上げ処理部２５３に送り込まれ、乾燥処理が施される（ステップＳ３１１）。そして、印画紙は、写真プリントとして写真処理装置２０１から排出される（ステップＳ３１２）。
【００８８】
以上のように、本実施の形態のプリント注文受付装置１０１及びプリント注文受付方法では、抽出部１２５によって抽出されたプリントに適した画像データファイルに係るサムネイル画像をディスプレイ１４０に表示させることができる。そして、プリント注文受付装置１０１を操作する顧客は、ディスプレイ１４０に表示されたプリントに適した画像の中から、プリントを注文する画像や、ＣＤ−Ｒへの書き込みを注文する画像を選択する。これにより、顧客一人当たりの占有時間を短縮することができる。
【００８９】
また、本実施の形態のプリント注文受付装置１０１は、メディアから読み出された画像データファイルに対して画像認識処理を行う画像認識部１２２を有しており、抽出部１２５は、画像認識部１２２で行われた画像認識処理の結果を用いて、プリントに適した画像データファイルを抽出する。したがって、メディアに記録されている画像データファイルが、画質や内容に関するパラメータの情報を含まない、例えば、現像済みの写真フィルムの画像をスキャナで読み取ることによって得られた画像データファイルであっても、プリントに適した画像データファイルを抽出することができる。
【００９０】
さらに、本実施の形態のプリント注文受付装置１０１では、顧客は、抽出項目・抽出レベル選択画面２４において、タッチパネル１４１を用いて、抽出項目及び抽出レベルに関してそれぞれ設けられた複数の選択肢の中から、いずれか１つをそれぞれ入力することができる。そして、抽出部１２５は、顧客によって入力された抽出項目及び抽出レベルで、画像データファイルを抽出する。したがって、抽出部１２５による画像データファイルの抽出に用いられるパラメータの閾値を（抽出項目・抽出レベル選択画面２４に表示された選択肢の中から）、顧客が選択することが可能である。
【００９１】
また、本実施の形態のプリント注文受付装置１０１では、表示制御部１２７が、ディスプレイ１４０に、抽出項目の３つの選択肢に対応する画質ボタン２５ａ、内容ボタン２５ｂ、画質・内容ボタン２５ｃ、及び抽出レベルの３つの選択肢に対応する緩いボタン２６ａ、標準ボタン２６ｂ、厳しいボタン２６ｃを含む抽出項目・抽出レベル選択画面２４を表示する。したがって、顧客は、抽出項目及び抽出レベルを容易に入力することができる。
【００９２】
加えて、本実施の形態のプリント注文受付装置１０１では、確認部１３４によって顧客が注文の完了を指示したことが確認されるまで、戻るボタン９１を用いて、ディスプレイ１４０に表示される画面を直前に表示された画面に戻すことができる。つまり、注文の完了が確認されるまでは、抽出項目・抽出レベル選択画面２４において、抽出項目及び抽出レベルの選択肢を複数回入力可能であり、抽出部１２５は、抽出項目及び抽出レベルの選択肢が入力されるごとに、プリントに適した画像を抽出する。したがって、顧客は、プリントに適した画像として、表示制御部１２７によってディスプレイ１４０に表示される画像を変更することができる。
【００９３】
また、本実施の形態のプリント注文受付装置１０１では、不適合画像表示確認画面４０において、ＯＫボタン４１が操作された場合に、抽出部１２５が抽出しなかった画像データファイルに係るサムネイル画像をディスプレイ１４０に表示することができる。したがって、顧客は、抽出部１２５が抽出しなかった画像データファイルの中に、プリントを希望する画像に係る画像データファイルが含まれていない否かを確認することができる。
【００９４】
次に、本発明の第２の実施の形態に係るプリント注文受付装置について説明する。第２の実施の形態に係るプリント注文受付装置の構成が、第１の実施の形態に係るプリント注文受付装置１０１の構成と主に異なる点は、プリント注文受付装置１０１の抽出部１２５が、画像認識部１２２によって行われた画像認識処理の結果を用いて、プリントに適した画像データファイルを抽出するのに対して、本実施の形態のプリント注文受付装置は、画像認識部を有しておらず、抽出部は、メディアに記録された画像データファイルから取得された、画像の画質及び／または内容についてのパラメータの値を用いて、プリントに適した画像データファイルを抽出する点である。その他の構成については、図２に示すプリント注文受付装置１０１とほぼ同様であるので、詳細な説明は省略する。なお、本実施の形態では、第１の実施の形態と同一の構成を有するものについては、第１の実施の形態と同一の符号を用いることとする。
【００９５】
デジタルカメラで撮影された画像に係る画像データファイルは、例えば、ＤＰＯＦ（Digital Print Order Format）等の所定の規格に対応している。このように規格化された画像データファイルには、撮影日時等の付加的な情報が含まれている。したがって、例えば、メディアに記録されている画像データファイルに、デジタルカメラに搭載されたジャイロセンサ等によって検知された手ぶれパラメータの値が含まれている場合には、抽出部は、メディアドライブ１５０がセットされたメディアから取得した手ぶれパラメータの値を用いて、プリントに適した画像データファイルの抽出を行う。
【００９６】
以上のように、本実施の形態のプリント注文受付装置では、第１の実施の形態と同様に、顧客一人当たりの占有時間を短縮することができる。
【００９７】
また、本実施の形態のプリント注文受付装置では、画像データファイルに含まれているパラメータを用いることで、プリントに適した画像データファイルの抽出を容易に行うことができる。
【００９８】
以上、本発明の好適な実施の形態について説明したが、本発明は上述の実施の形態に限られるものではなく、特許請求の範囲に記載した限りにおいて、様々な設計変更を行うことが可能なものである。例えば、上述の第１及び第２の実施の形態では、顧客が、抽出項目・抽出レベル選択画面２４において、タッチパネル１４１を用いて、抽出項目及び抽出レベルの選択肢を入力することができる場合について説明したが、これには限られない。抽出項目または抽出レベルのいずれか一方の選択肢のみを入力可能であってもよい。また、抽出項目及び抽出レベルの選択肢を入力することができるようにはなっておらず、予め設定された抽出項目及び抽出レベルでプリントに適した画像データファイルの抽出が行われるようにしてもよい。
【００９９】
また、上述の第１及び第２の実施の形態では、表示制御部１２７が、ディスプレイ１４０に、抽出項目の３つの選択肢である画質ボタン２５ａ、内容ボタン２５ｂ、画質・内容ボタン２５ｃ、及び抽出レベルの３つの選択肢である緩いボタン２６ａ、標準ボタン２６ｂ、厳しいボタン２６ｃを含む抽出項目・抽出レベル選択画面２４を表示する場合について説明したが、抽出項目・抽出レベル選択画面２４に表示される抽出項目及び抽出レベルの選択肢は、それぞれ２つ以上であればよい。また、抽出レベルについては、上述のような選択肢を入力するのではなく、例えば、数値等を直接入力するようにしてもよい。
【０１００】
また、上述の第１及び第２の実施の形態では、確認部１３４によって注文の完了が確認されるまでは、抽出項目・抽出レベル選択画面２４において、抽出項目及び抽出レベルの選択肢を複数回入力可能であり、抽出部は、抽出項目及び抽出レベルの選択肢が入力されるごとに、プリントに適した画像を抽出する場合について説明したが、抽出項目及び抽出レベルの選択肢は少なくとも１回入力可能であればよい。
【０１０１】
さらに、上述の第１及び第２の実施の形態では、不適合画像表示確認画面４０において、ＯＫボタン４１が操作された場合に、抽出部が抽出しなかったプリントに適していない画像データファイルに係るサムネイル画像をディスプレイ１４０に表示することができる場合について説明したが、プリントに適していない画像データファイルに係るサムネイル画像がディスプレイ１４０に表示されないようにしてもよい。
【０１０２】
また、上述の第１及び第２の実施の形態では、ディスプレイ１４０の表面にタッチパネル１４１が形成されており、顧客がタッチパネル１４１に触れることによって、プリント注文受付装置に対して、指示の入力を行う場合について説明したが、プリント注文受付装置への指示の入力方法はこれには限られない。例えば、キーボードやマウスを用いてプリント注文受付装置への指示の入力を行うようにしてもよい。
【０１０３】
また、上述の実施の形態では、データ伝送ネットワーク３０１により写真処理装置２０１と接続されており、写真処理装置２０１と共にプリントシステム１を構築するプリント注文受付装置１０１について説明したが、プリント注文受付装置１０１は、プリンタが内蔵された独立型のものであってもよい。
【図面の簡単な説明】
【０１０４】
【図１】本発明の第１の実施の形態に係るプリント注文受付装置を備えたプリントシステムの概略構成を示す図である。
【図２】図１に示すプリント注文受付装置の概略構成を示す図である。
【図３】図２に示すコントローラの主要部の構成を示すブロック図である。
【図４】図１に示す写真処理装置の概略構成を示す図である。
【図５】図４に示すコントローラの主要部の構成を示すブロック図である。
【図６】図３に示す抽出部で行われる処理手順を示すフローチャートである。
【図７Ａ】図２に示すプリント注文受付装置における処理手順を示すフローチャート（前半）である。
【図７Ｂ】図２に示すプリント注文受付装置における処理手順を示すフローチャート（後半）である。
【図８】図７に示すフローチャート中で行われる割り込み処理の手順を示すフローチャートである。
【図９】図２に示すディスプレイに表示される初期画面を示す図である。
【図１０】図２に示すディスプレイに表示されるメディアセット案内画面を示す図である。
【図１１】図２に示すディスプレイに表示されるサービス選択画面を示す図である。
【図１２】図２に示すディスプレイに表示されるプリントサイズ選択画面を示す図である。
【図１３】図２に示すディスプレイに表示される抽出項目・抽出レベル選択画面を示す図である。
【図１４】図２に示すディスプレイに表示されるプリントサービスの注文画面を示す図である。
【図１５】図２に示すディスプレイに表示されるプリントサービスの注文画面（最終ページ）を示す図である。
【図１６】図２に示すディスプレイに表示される書き込みサービスの注文画面を示す図である。
【図１７】図２に示すディスプレイに表示される不適合画像表示確認画面を示す図である。
【図１８】図２に示すディスプレイに表示される名前入力画面を示す図である。
【図１９】図２に示すディスプレイに表示される注文内容確認画面を示す図である。
【図２０】図２に示すディスプレイに表示される受付証発行画面を示す図である。
【図２１】図４に示す写真処理装置における処理手順を示すフローチャートである。
【符号の説明】
【０１０５】
１  プリントシステム
２４  抽出項目・抽出レベル選択画面（選択画面）
３０  注文画面
１０１  プリント注文受付装置
１２２  画像認識部（画像認識手段）
１２５  抽出部（抽出手段）
１２７  表示制御部（注文画面表示制御手段・選択画面表示制御手段）
１３４  確認部（確認手段）
１４０  ディスプレイ
１４１  タッチパネル（注文情報入力手段・画質・内容入力手段）
１５０  メディアドライブ（読み出し部・パラメータ取得手段）
【図１】
2006301687.tif 000003
【図２】
2006301687.tif 000004
【図３】
2006301687.tif 000005
【図４】
2006301687.tif 000006
【図５】
2006301687.tif 000007
【図６】
2006301687.tif 000008
【図７Ａ】
2006301687.tif 000009
【図７Ｂ】
2006301687.tif 000010
【図８】
2006301687.tif 000011
【図９】
2006301687.tif 000012
【図１０】
2006301687.tif 000013
【図１１】
2006301687.tif 000014
【図１２】
2006301687.tif 000015
【図１３】
2006301687.tif 000016
【図１４】
2006301687.tif 000017
【図１５】
2006301687.tif 000018
【図１６】
2006301687.tif 000019
【図１７】
2006301687.tif 000020
【図１８】
2006301687.tif 000021
【図１９】
2006301687.tif 000022
【図２０】
2006301687.tif 000023
【図２１】
2006301687.tif 000024